(57)【要約】      （修正有）【課題】自転車用切替可能な壁掛け式スタンドを提供する。【解決手段】固定ベース２００と、フック部３００と、タイヤ当接板４００と、を備えている。フック部はベースのシャフト２１０にある右側ピボット部または左側ピボット部に可動に装設し、フック部がシャフトの右側位置または左側位置に位置し、フック部の開口部が向く方向を即時改変し、ユーザーが使用環境に基づいてフック部の開口部を左側方向に向けるか右側方向に向けるか選択可能にし、自転車を右側方向または左側方向から開口部を貫通させてフック部のフックロッド３２０に吊り掛け、タイヤをタイヤ当接板に当接可能にしている。業者は２種類の方向の自転車壁掛け式スタンド機構を開発しなくともよくなり、製造コストが減少する。【選択図】図１
0003232122.tif 000002
【実用新案登録請求の範囲】
【請求項１】
シャフトを枢設し、且つ前記シャフトは互いに反対方向にある右側ピボット部及び左側ピボット部を有し、前記右側ピボット部には右側支柱を凸設し、前記左側ピボット部には左側支柱を凸設している固定ベースと、
カンチレバー部及びフックロッドを含み、前記カンチレバー部の一端には前記右側支柱または前記左側支柱に可動に装設している穴部を有し、前記カンチレバー部の他端には前記フックロッドを側方に取り付け、前記フックロッドが前記カンチレバー部の側方向に延伸していると共に前記カンチレバー部との間に開口部を形成し、前記開口部を前記固定ベースの左側方向または右側方向に向けているフック部と、
前記シャフトに装設していると共に右側ピボット部と前記左側ピボット部との間に位置しているタイヤ当接板と、を備えていることを特徴とする自転車用切替可能な壁掛け式スタンド。
【請求項２】
前記右側ピボット部には前記右側支柱に対して偏置している右側凸型ボスを凸設し、前記左側ピボット部には前記左側支柱に対して偏置している左側凸型ボスを凸設し、前記カンチレバー部は前記右側凸型ボス及び前記左側凸型ボスにそれぞれ対応して収容している１対の弧状溝を有していることを特徴とする請求項１に記載の自転車用切替可能な壁掛け式スタンド。
【請求項３】
カバーをさらに備え、前記フック部を前記右側支柱または前記左側支柱に可動に枢設する際に、ネジにより前記カバーを前記もう一方に装設して前記右側凸型ボスまたは前記左側凸型ボスを遮蔽することを特徴とする請求項２に記載の自転車用切替可能な壁掛け式スタンド。
【請求項４】
前記カンチレバー部は下部カンチレバー及び上部カンチレバーを備え、前記下部カンチレバーは互いに連接しているラグ部及び湾曲延長部を含み、前記穴部及び前記１対の弧状溝は前記ラグ部に設け、且つラグ部用ネジにより前記ラグ部に螺設していると共に前記右側支柱または前記左側支柱に螺合し、前記湾曲延長部の末端には平面当接部を有し、前記湾曲延長部の一側は内側に向けて切欠き部を凹設し、且つ前記切欠き部は弧状面を有し、前記上部カンチレバーは互いに連接している取付部及び支持部を備え、且つ複数のカンチレバー用ネジにより前記取付部に螺着して前記切欠き部に収容するように固定し、前記取付部の末端には前記弧状面に当接している弧状凸部を有し、前記取付部と前記支持部との間には前記平面当接部に当接している段階面を有し、前記支持部の一側には内側に向けて六角溝を凹設し、前記フックロッドには前記六角溝に係合している六角ボスを凸設し、且つ固定用ネジにより前記支持部に螺設して前記六角ボスをロックしていることを特徴とする請求項２に記載の自転車用切替可能な壁掛け式スタンド。
【請求項５】
前記固定ベースは基板及び１対の枢軸の台座を備え、前記１対の枢軸の台座は前記基板に間隔を空けて設置し、前記シャフトの両端は前記１対の枢軸の台座にそれぞれ枢設していることを特徴とする請求項１に記載の自転車用切替可能な壁掛け式スタンド。
【請求項６】
前記１対の枢軸の台座にある長方形の穴に装設している回転方向ロックセットをさらに備え、前記回転方向ロックセットはスライディングロッドと、バネと、プラグと、操作ボタンとを含み、前記プラグは前記長方形の穴の穴端内に装設し、前記スライディングロッド及び前記バネは前記長方形の穴にスライド可能に設置し、且つ前記バネの両端は前記プラグ及び前記スライディングロッドにそれぞれ弾性当接し、前記スライディングロッドを部分的に前記長方形の穴の他の穴端の外に露出していると共に前記シャフトの一端にある複数の位置決め凹部のうちの１つに突き当て、前記操作ボタンは前記枢軸の台座に螺設して前記スライディングロッドの前記長方形の穴の外に露出していない部分に組み立てていることを特徴とする請求項５に記載の自転車用切替可能な壁掛け式スタンド。
【請求項７】
前記フックロッドの中段位置には凹型リング溝を周設し、且つ前記フックロッドには複数の滑り止めラインを設けていると共に前記凹型リング溝から両側に分布する形態として分離していることを特徴とする請求項１に記載の自転車用切替可能な壁掛け式スタンド。
【請求項８】
前記タイヤ当接板は互いに反対方向に設けているタイヤ当接面及び取付面を備え、前記取付面には縦方向及び横方向の複数のリブ部を凸設し、前記複数のリブ部は前記右側ピボット部及び左側ピボット部に部分的に対応している内凹弧面を設けていることを特徴とする請求項１に記載の自転車用切替可能な壁掛け式スタンド。
【考案の詳細な説明】
【技術分野】
【０００１】
本考案は、壁面に取り付ける壁掛け式スタンドに関し、自転車を縦置きして壁面に近接するように駐輪するための自転車用切替可能な壁掛け式スタンドに関する。
【背景技術】
【０００２】
自転車を室内に駐輪するためのよくあるスタンドは、床置き用自転車スタンド（従来の特許文献では、例えば、下記特許文献１、特許文献２、特許文献３、特許文献４、特許文献５参照）、横置き式壁掛け式スタンド（従来の特許文献では、例えば、特許文献６、特許文献７参照）、或いは縦置き式壁掛け式スタンド（従来の特許文献では、例えば、特許文献８参照）がある。なお、縦置き式壁掛け式スタンドは取り付けが非常に簡単であり、体積が小さくて環境空間をあまり占有しないため、環境空間に限りがある人たちに非常に人気がある。
【先行技術文献】
【特許文献】
【０００３】
【特許文献１】台湾登録実用新案第５９３３５５号明細書
【特許文献２】台湾登録実用新案第５６８８０６号明細書
【特許文献３】台湾登録実用新案第５６７７２３号明細書
【特許文献４】米国特許出願第１０２５２７５９号明細書
【特許文献５】米国特許出願第１０６１８５８２号明細書
【特許文献６】台湾登録実用新案第５６３９９０号明細書
【特許文献７】米国特許出願第１０８２２０４５号明細書
【特許文献８】台湾登録実用新案第４３９６０５号明細書
【考案の概要】
【考案が解決しようとする課題】
【０００４】
しかしながら、前述した従来の自転車用壁掛け式スタンド技術（特許文献８参照）では、壁の隅の位置に取り付けて環境空間を節約することが多いが、掛けフックの開口部が壁掛け式スタンドの右側に位置するため、壁掛け式スタンドの右側から自転車を掛けねばならず、このような壁掛け式スタンドでは、右側の壁面に邪魔されて自転車を吊り掛けることができなくなるため右側に壁面がある隅の位置に取り付けることができず、適用不能になる場合があった。
【０００５】
そこで、本考案者は上記の欠点が改善可能と考え、鋭意検討を重ねた結果、合理的設計で上記の課題を効果的に改善する本考案の提案に至った。
【０００６】
かかる従来の実情に鑑みて、本考案は、自転車用切替可能な壁掛け式スタンドを提供することを目的とする。つまり、フック部を可動に着脱することでフック部の開口部を右側または左側方向に向くように改変し、環境に適用して自転車を邪魔されずにスムーズに吊り掛け可能にする。業者も２種類の方向の機構を開発する必要がなく、製造コストを削減可能である。
【課題を解決するための手段】
【０００７】
上記課題を解決するために、本考案のある態様の自転車用切替可能な壁掛け式スタンドは、        
シャフトを枢設し、且つ前記シャフトは互いに反対方向にある右側ピボット部及び左側ピボット部を有し、前記右側ピボット部には右側支柱を凸設し、前記左側ピボット部には左側支柱を凸設している固定ベースと、
カンチレバー部及びフックロッドを含み、前記カンチレバー部の一端には前記右側支柱または前記左側支柱に可動に装設している穴部を有し、前記カンチレバー部の他端には前記フックロッドを側方に取り付け、前記フックロッドが前記カンチレバー部の側方向に延伸していると共に前記カンチレバー部との間に開口部を形成し、前記開口部を前記固定ベースの左側方向または右側方向に向けているフック部と、
前記シャフトに装設していると共に右側ピボット部と前記左側ピボット部との間に位置しているタイヤ当接板と、を備えている。
【０００８】
本明細書及び図面の記載により、少なくとも、以下の事項が明らかとなる。
【図面の簡単な説明】
【０００９】
【図１】本考案の一実施例に係る自転車用切替可能な壁掛け式スタンドを示す概略構成図である。
【図２】本考案の一実施例に係る自転車用切替可能な壁掛け式スタンドを示す部分分解概略図である。
【図３】本考案のフック部が左側ピボット部の前に装設する部分分解概略図である。
【図４】本考案の後輪部を合せて壁面に装設する概略図である。
【図５】本考案の後輪部を合せて自転車を掛ける傾斜概略図である。
【図６】本考案の後輪部を合せて方向に回転して自転車を掛ける傾斜概略図である。
【図７】本考案のフック部を完全に上に向けて収容位置まで揺動させる概略図である。
【図８】本考案のフック部を示す分解概略図である。
【図９】本考案の他の部分を示す分解概略図である。
【図１０】図１のＸ−Ｘ線に沿う断面概略図である。
【考案を実施するための形態】
【００１０】
以下、本考案の実施の形態について、図面を参照して詳細に説明する。なお、本考案は以下の例に限定されるものではなく、本考案の要旨を逸脱しない範囲で、任意に変更可能であることは言うまでもない。
【００１１】
自転車用切替可能な壁掛け式スタンド１００は、互いに反対方向にある右側ピボット部２２０及び左側ピボット部２３０を有しているシャフト２１０を枢設し、前記右側ピボット部２２０には右側支柱２２１を凸設し、前記左側ピボット部２３０には左側支柱２３１を凸設している固定ベース２００と、カンチレバー部３１０及びフックロッド３２０を含み、前記カンチレバー部３１０の一端には前記右側支柱２２１または前記左側支柱２３１に可動に装設している穴部３１１を有し、前記カンチレバー部３１０の他端には前記フックロッド３２０を側方に取り付け、前記フックロッド３２０が前記カンチレバー部３１０の側方向に延伸していると共に前記カンチレバー部３１０との間に開口部３３０を形成し、前記開口部３３０を前記固定ベース２００の左側方向または右側方向に向けているフック部３００と、前記シャフト２１０に装設していると共に右側ピボット部２２０と前記左側ピボット部２３０との間に位置しているタイヤ当接板４００と、を備えている（図１乃至図３参照）。
【００１２】
本考案のフック部３００の穴部３１１はシャフト２１０の右側ピボット部２２０の右側支柱２２１または左側ピボット部２３０の左側支柱２３１に可動に装設し、フック部３００をシャフト２１０の右側位置または左側位置に位置させ、フック部３００の開口部３３０が向く方向を改変させている。ユーザーが使用環境に基づいて、フック部３００の開口部３３０の方向を固定ベース２００の左側方向または右側方向のどちらに向けるか選択可能にしている。自転車（図示省略）は右側方向または左側方向から開口部３３０を貫通させてフックロッド３２０に吊り掛け、タイヤはタイヤ当接板４００に当接させる。これにより、隅の位置でも方向を選んで固定ベース２００を壁面及び壁柱に取り付けることができる。
【００１３】
本考案に係る自転車用切替可能な壁掛け式スタンド１００は自転車を吊り掛け可能にするほか、自転車用切替可能な壁掛け式スタンド１００と間隔を開けて設置する後輪部５００を組み合わせ、後輪部５００は底板５１０及び前記底板５１０の表面の中央位置から外に向けて一体で延長している延長状支持板５２０を備え、延長状支持板５２０の両側は底板との間に後輪当接部５３０を各々構成している。図４乃至図６に示すように、これにより、シャフト２１０が固定ベース２００に対して回転する状態で、本来壁柱に対して垂直になっている自転車を外方向に一側に向けて揺動し、且つ自転車の後輪を後輪当接部５３０に堅固に突き当てる。
【００１４】
本考案の各部材の細部の特徴及び組み立て関係についてさらに詳しく説明する。前記右側ピボット部２２０には前記右側支柱２２１に対し偏置している右側凸型ボス２２２を凸設し、前記左側ピボット部２３０には前記左側支柱２３１に対し偏置している左側凸型ボス２３２を凸設している。前記カンチレバー部３１０は前記右側凸型ボス２２２及び前記左側凸型ボス２３２にそれぞれ対応して収容している１対の弧状溝３１２を有している。図２、図３及び図７を参照すれば、前記カンチレバー部３１０の前記１対の弧状溝３１２は前記右側凸型ボス２２２及び前記左側凸型ボス２３２をそれぞれ収容している。これにより、自転車用切替可能な壁掛け式スタンド１００を自転車を吊り掛けるために使用していない場合、フック部３００を押動すると共に右側支柱２２１または左側支柱２３１を回転の中心（ここでは左側支柱２３１を例とする）として穴部３１１を上に向けて揺動することで、フック部３００を本来外向きに上に向けている傾斜方向の使用位置から、フック部３００を完全に上に向けて延伸する方向の収容位置まで揺動させることで（図７の破線で表示する）、フック部３００が壁柱の外に突出しすぎないようにし、他人の行動に影響を与えず、接触事故による傷害の危険性を回避している。前述の反対方向への操作により収容位置から使用位置に切り替え、且つ前述のフック部３００の揺動位置の切り替えは弧状溝３１２の両端の溝の端面位置の制限を受け、特にフック部３００が使用位置にある場合、自転車の部分的な重力が弧状溝３１２により左側支柱２３１の位置に分散し、フック部３００の揺動位置の制限が形成されている。
【００１５】
図２と図３に示すように、カバー２４０をさらに備え、前記フック部３００を前記右側支柱２２１または前記左側支柱２３１に可動に枢設し、且つネジ２４１により前記カバー２４０を前記もう一方に装設して前記右側凸型ボス２２２または前記左側凸型ボス２３２を遮蔽することにより、右側凸型ボス２２２または左側凸型ボス２３２が直接環境の外に露出しないようにし、汚染された空気の粉塵を減らし、清潔に保持する。
【００１６】
図２、図３及び図８を併せて参照し、前記カンチレバー部３１０は下部カンチレバー３４０及び上部カンチレバー３５０を備えている。前記下部カンチレバー３４０は互いに連接しているラグ部３４１及び湾曲延長部３４２を含み、前記穴部３１１及び前記１対の弧状溝３１２は前記ラグ部３４１に設置し、且つラグ部用ネジ３１３により前記ラグ部３４１に螺設していると共に前記右側支柱２２１または前記左側支柱２３１に螺合している。前記湾曲延長部３４２の末端には平面当接部３４３を有し、前記湾曲延長部３４２の一側には内側に向けて切欠き部３４４を凹設し、且つ前記切欠き部３４４は弧状面３４５を有している。前記上部カンチレバー３５０は互いに連接している取付部３５１及び支持部３５２を備え、且つ複数のカンチレバー用ネジ３１４により前記取付部３５１に螺着して前記切欠き部３４４に収容するように固定し、前記取付部３５１の末端には前記弧状面３４５に当接している弧状凸部３５３を有ししている。また、前記取付部３５１と前記支持部３５２との間には段階面３５４を有していると共に前記平面当接部３４３に当接している。前記支持部３５２の一側には内側に向けて六角溝３５５を凹設し、前記フックロッド３２０には前記六角溝３５５に係合している六角ボス３２１を凸設し、且つ固定用ネジ３１５により前記支持部３５２に螺設して前記六角ボス３２１をロックしている。前記弧状面３４５及び弧状凸部３５３を互いに当接させ、且つ平面当接部３４３及び段階面３５４を互いに当接させることにより前記下部カンチレバー３４０及び上部カンチレバー３５０を組み合わせ、これにより２つの位置方向への当接を構成し、下部カンチレバー３４０及び上部カンチレバー３５０を堅固に組み合わせている。また、前記フックロッド３２０は六角ボス３２１により六角溝３５５に堅固に係合し、フックロッド３２０が上部カンチレバー３５０に対して径方向に回転する現象を発生しないようにし、両者の堅固な組み立てを提供している。
【００１７】
図９と図１０に示すように、前記固定ベース２００は基板２０１及び１対の枢軸の台座２０２を備え、前記１対の枢軸の台座２０２は前記基板２０１に間隔を空けて設置し、前記シャフト２１０の両端は前記１対の枢軸の台座２０２にそれぞれ枢設している。前記１対の枢軸の台座２０２にある長方形の穴２０３に装設している回転方向ロックセット６００をさらに含み、前記回転方向ロックセット６００はスライディングロッド６１０と、バネ６２０と、プラグ６３０と、操作ボタン６４０と、を備えている。前記プラグ６３０は前記長方形の穴２０３の穴端内に装設し、前記スライディングロッド６１０及び前記バネ６２０は前記長方形の穴２０３にスライド可能に設置し、且つ前記バネ６２０の両端は前記プラグ６３０及び前記スライディングロッド６１０にそれぞれ弾性当接し、前記スライディングロッド６１０を部分的に前記長方形の穴２０３の他の穴端の外に露出していると共に前記シャフト２１０の一端にある複数の位置決め凹部２１１のうちの１つに突き当てている。前記操作ボタン６４０は前記枢軸の台座２０２に螺設して前記スライディングロッド６１０の前記長方形の穴２０３の外に露出していない部分に組み立てている。
【００１８】
前述のスライディングロッド６１０はバネ６２０により常態では伸長してシャフト２１０の何れか１つの位置決め凹部２１１の位置に係合し、回転方向ロックセット６００によりシャフト２１０をロック状態にして揺動現象が発生しないようにしている。操作ボタン６４０に力を付勢してプラグ６３０の方向に向けて移動させると、同時にスライディングロッド６１０が長方形の穴２０３内に完全に移動すると共にバネ６２０を圧縮させ、シャフト２１０の位置決め凹部２１１がスライディングロッド６１０による係合の制限を受けないようにし、シャフト２１０を枢軸の台座２０２に対して枢動させている。外力が除去された後にバネ６２０によりスライディングロッド６１０を押動して移動させてシャフト２１０の何れか１つの位置決め凹部２１１の位置に係合させ、シャフト２１０を再度ロックして枢軸の台座２０２に対して揺動しないようにしている。
【００１９】
図８を参照すれば、前記フックロッド３２０の中段位置には凹型リング溝３２２を周設し、且つ前記フックロッド３２０には複数の滑り止めライン３２３を設けていると共に前記凹型リング溝３２２から両側に分布する形態として分離している。凹型リング溝３２２によりタイヤのリム部位を凸弧状形態で堅固に位置決めさせ、交錯している滑り止めライン３２３によりタイヤのリム幅が大きく凹型リング溝３２２の位置を超えているものを堅固に接触させ、スライド現象を発生させないようにしている。
【００２０】
図９に示すように、前記タイヤ当接板４００は互いに反対方向に設けているタイヤ当接面４１０及び取付面４２０を備え、且つ前記取付面４２０には縦方向及び横方向の複数のリブ部４３０を凸設している。前記複数のリブ部４３０は前記右側ピボット部２２０及び左側ピボット部２３０に部分的に対応している内凹弧面４４０を設けている。前述のリブ部４３０はタイヤ当接板４００を縦方向及び横方向に堅固に支持する効果を提供し、且つ内凹弧面４４０により右側ピボット部２２０及び左側ピボット部２３０の表面に位置決めするように係合し、タイヤ当接板４００を前記内凹弧面４４０により右側ピボット部２２０及び左側ピボット部２３０に堅固に結合している。
【００２１】
本考案は、その精神又は主要な特徴から逸脱することなく、他のいろいろな形態で実施することができる。そのため、上述の実施形態はあらゆる点で単なる例示に過ぎず、限定的に解釈してはならない。本考案の範囲は実用新案登録請求の範囲によって示すものであって、明細書本文には何ら拘束されない。更に、実用新案登録請請求の範囲の均等範囲に属する変形や変更は、すべて本考案の範囲内のものである。
【符号の説明】
【００２２】
１００  自転車用切替可能な壁掛け式スタンド
２００  固定ベース
２０１  基板
２０２  枢軸の台座
２０３  長方形の穴
２１０  シャフト
２１１  位置決め凹部
２２０  右側ピボット部
２２１  右側支柱
２２２  右側凸型ボス
２３０  左側ピボット部
２３１  左側支柱
２３２  左側凸型ボス
２４０  カバー
２４１  ネジ
３００  フック部
３１０  カンチレバー部
３１１  穴部
３１２  弧状溝
３１３  ラグ部用ネジ
３１４  カンチレバー用ネジ
３１５  固定用ネジ
３２０  フックロッド
３２１  六角ボス
３２２  凹型リング溝
３２３  滑り止めライン
３３０  開口部
３４０  下部カンチレバー
３４１  ラグ部
３４２  湾曲延長部
３４３  平面当接部
３４４  切欠き部
３４５  弧状面
３５０  上部カンチレバー
３５１  取付部
３５２  支持部
３５３  弧状凸部
３５４  段階面
３５５  六角溝
４００  タイヤ当接板
４１０  タイヤ当接面
４２０  取付面
４３０  リブ部
４４０  内凹弧面
５００  後輪部
５１０  底板
５２０  延長状支持板
５３０  後輪当接部
５００  回転方向ロックセット
５１０  スライディングロッド
５２０  バネ
５３０  プラグ
５４０  操作ボタン
６００  回転方向ロックセット
６１０  スライディングロッド
６２０  バネ
６３０  プラグ
６４０  操作ボタン
【図１】
0003232122.tif 000003
【図２】
0003232122.tif 000004
【図３】
0003232122.tif 000005
【図４】
0003232122.tif 000006
【図５】
0003232122.tif 000007
【図６】
0003232122.tif 000008
【図７】
0003232122.tif 000009
【図８】
0003232122.tif 000010
【図９】
0003232122.tif 000011
【図１０】
0003232122.tif 000012